(57)【要約】【課題】リモコンを利用可能なノートパソコンにおいて、表示パネルを開閉に基づいてリモコン動作の有効／無効を切り換えることができるノートパソコンを提供する。【解決手段】ＣＰＵ２２はパネル開閉検出部１４、外部機器検出部２０、ＯＤＤ検出部２１がそれぞれ検出した検出状況、動作状況に基づいて、リモコン制御部２４に対してリモコン動作の有効／無効の切り換え指示を出す。  つまり外部機器への出力があるか、またはディスクメディアのがドライブに挿入されている場合には映像コンテンツや音声コンテンツの再生動作が実行中であると推定されることから、表示パネルが閉じられたとしてもリモコン受信部１３に対してリモコン動作を有効に維持するよう設定する。  【選択図】  図２
2008071190.tif 000002
【特許請求の範囲】
【請求項１】
表示パネルが開閉可能なノート型パーソナルコンピュータにおいて、
前記表示パネルの開閉状況を検出するパネル開閉検出部と、
ディスクドライブの動作状況を検出するディスク検出部と、
外部出力機器の動作状況を検出する外部機器検出部と、
リモコンからの指示信号を受信するリモコン受信部と、
前記パネル開閉検出部、前記ディスク検出部、外部機器検出部で検出された検出結果に基づいて、前記リモコン受信部で受信する指示信号の有効／無効を切り換える切り換え制御部と、
を具備したことを特徴とするノート型パーソナルコンピュータ。
【請求項２】
前記切り換え制御部は、前記パネル開閉検出部の検出結果が表示パネルの閉状態を検出したとき、前記ディスク検出部がディスクメディア゛挿入されていることをを検出するか、あるいは前記外部機器検出部が外部機器が動作中であることを検出した場合には、前記リモコン受信部で受信する指示信号を有効化し、ディスクメディアが挿入されておらず、かつ外部機器が動作していないことを検出した場合には、前記リモコ受信部で受信する指示信号を無効化することを特徴とする請求項１記載のノート型パーソナルコンピュータ。
【発明の詳細な説明】
【技術分野】
【０００１】
本発明は、無線通信機器により操作可能なパーソナルコンピュータに関し、特に表示パネルが開閉可能なノートパソコンをリモコンで操作する際の動作制御に関するものである。
【背景技術】
【０００２】
従来よりノートパソコンの駆動電源制御として、ノートパソコンの表示パネルを閉じると自動的にパソコンのＯＳの終了コマンドを発行し、その後パソコンの電源オフコマンドを発行することにより、パソコンのキー入力の手間と時間を不要とし、またキー入力誤りを防止する技術が開示されている。
【０００３】
これはノートパソコンの表示パネルを閉じるという動作によりノートパソコンが使われていないものであると判断して自動的に電源オフの処理を実行するもので、ユーザの操作を簡略化する点で効果があった。  
【特許文献１】特開平１０−３４０１４８号公報（第１図）
【発明の開示】
【発明が解決しようとする課題】
【０００４】
しかし、上述した従来技術では、単にノートパソコンが使われていないと判定する判定方法や、使われていない判定した時にパソコンを自動的にシャットダウンする動作が開示されているのみで、近年のノートパソコンの多種多様な利利用方法を想定して電源制御を行っていない。
【０００５】
つまり近年のノートパソコンはＤＶＤなどの光ディスクドライブやＴＶチューナなどを搭載して、表示画面を見なくとも、音楽だけを聞くような利用シーンが増えてきている。さらにノートパソコンの表示パネルを見ずに、映像を外部出力の大画面の表示パネルを用いて視聴するような利用をすることも有り得る。このような表示パネルを必ずしも利用しない利用シーンに対して従来の電源制御動作は柔軟に対応することができなかった。
【０００６】
そこで、本発明は上述した課題を解決するため、リモコンを利用可能なノートパソコンにおいて、表示パネルを開閉に基づいてリモコン動作の有効／無効を切り換えることができるノートパソコンを提供することを目的とするものである。
【課題を解決するための手段】
【０００７】
本発明は上述したような課題を解決するため、表示パネルが開閉可能なノート型パーソナルコンピュータにおいて、前記表示パネルの開閉状況を検出するパネル開閉検出部と、ディスクドライブの動作状況を検出するディスク検出部と、外部出力機器の動作状況を検出する外部機器検出部と、リモコンからの指示信号を受信するリモコン受信部と、前記パネル開閉検出部、前記ディスク検出部、外部機器検出部で検出された検出結果に基づいて、前記リモコン受信部で受信する指示信号の有効／無効を切り換える切り換え制御部とを具備したものである。
【０００８】
また本発明は上述した課題を解決するためパネル開閉検出部の検出結果が表示パネルの閉状態を検出したとき、前記ディスク検出部がディスクメディア゛挿入されていることをを検出するか、あるいは前記外部機器検出部が外部機器が動作中であることを検出した場合には、前記リモコン受信部で受信する指示信号を有効化し、ディスクメディアが挿入されておらず、かつ外部機器が動作していないことを検出した場合には、前記リモコ受信部で受信する指示信号を無効化するものである。
【発明の効果】
【０００９】
リモコンを利用可能なパーソナルコンピュータにおいて、表示パネルの開閉および外部出力機器の動作状況に基づいて、リモコン動作の有効／無効を切り換えることにより、ノートパソコンの表示パネルを使わないような利用シーンであってもリモコンの動作だけは利用可能にすることができユーザの利便性を向上させることができる。
【発明を実施するための最良の形態】
【００１０】
以下、本発明における実施形態について図面を用いて説明する。
【００１１】
図１は本発明の一実施形態におけるノート型パソコンの利用形態を示す概念図である。
【００１２】
ノートパソコン１０は開閉可能な表示パネル１１を備えておりノートパソコンの動作中に様々な映像を表示する。ノートパソコンの本体側には表示パネル１１の開閉動作を検出できるように検出スイッチを有する開閉検出部１４が設けられており、表示パネル１１が閉じられると検出スイッチが押下されることにより閉状態を検出し、表示パネル１１が閉じられた状態から明けられると検出スイッチの押下が解除されることにより開状態を検出する。
【００１３】
また、ノートパソコン１０には、ＤＶＤやＣＤなどの光ディスクメデイアを挿入可能な光ディスクドライブ１５（以下ＯＤＤ１５と称す）が設けられている。ＯＤＤ１５は映像や音楽が格納されたディスクメディアをセットするこにとより表示パネル１１や外部モニヌに映像を再生表示し、内蔵スピーカまたは外部スピーカから音声を出力すさせる。外部モニタ出力端子１７は、このようにＯＤＤ１５にセットされたディスクメディアを再生した時に表示される映像などをノートパソコン１０の表示パネル１１に表示させるのではなく、外部の表示モニタに出力するための出力コネクタであり、ＨＤＭＩ端子などによってデジタル映像を出力させることも可能である。
【００１４】
外部スピーカ出力部１６は、ＯＤＤ１５にセットされたディスクメディアを再生した時に出力される音声などは、ノートパソコン１０に用意されているスピーカではなく、外付けされたスピーカに出力する際の出力端子であり、ＵＳＢ端子などによってデジタル音声を出力させることができる。
【００１５】
リモートコントローラ（リモコン）１２は、ノートパソコン１０の様々な操作を、遠隔地から実行するためのものでノートパソコン１０の本体前側面に設けられリモコン受信部に向けて操作コマンドを送信することにより動作指示可能である。例えばＯＤＤ１５にて再生されている映像、音楽の停止／早送り／スキップなどの操作をすることができる。
【００１６】
このようにリモコン操作が可能なノートパソコンの利用シーンを想定して、本実施形態では表示パネルの開閉状態と、ＯＤＤ１５へのディスクメディアの挿入状態および外部出力機器への出力状態をみてリモコン動作の有効／無効を切り換えることを特徴としたものであり、以下図２、図３を用いて説明する。
【００１７】
図２は本実施形態のノートパソコン１０のシステム構成図である。  
図２に示すように、本実施形態のノートパソコン１０は、図１の概念図でも説明したように表示パネル１１、パネル検出部１４、リモコン受信部１３、ＯＤＤ１５、スピーカ出力部１６、外部モニタ出力部１７を備えており、それぞれシステムバス２５に接続されている。さらにシステムバス２６にはノートパソコン１０の全体の動作制御を司るＣＰＵ２２、動作プログラムやのデータ処理のためのメモリ２３が設けられている。またＯＤＤ検出部２１、外部機器検出部２０が設けられ、ＯＤＤ検出部２１は、ＯＤＤ１５にディスクメディアが挿入されているか否か、あるいは挿入されているディスクメディアを再生中であるか否か等の動作状況を判別し、判別結果をＣＰＵ２２に送信する。また外部機器検出部２０は、スピーカ出力部１６と外部モニタ出力部１７とにそれぞれ接続されている外部スピーカ１８と外部モニタ１９の接続有無や音声、映像の出力状況など外部機器の動作状況を判別し、判別結果をＣＰＵ２２に送信する。
【００１８】
そしてＣＰＵ２２はパネル開閉検出部１４、外部機器検出部２０、ＯＤＤ検出部２１がそれぞれ検出した検出状況、動作状況に基づいて、リモコン制御部２４に対してリモコン動作の有効／無効の切り換え指示を出すものである。  
そこで、図３に示す本実施形態のフローチャートを用いて動作を説明する。
【００１９】
まず、ノートパソコン１０が表示パネルの開閉に関わらず通常動作している状態において、パネル開閉検出部１４が表示パネルの開閉を検出する（Ｓ３１）。その検出結果が、「開けられた」ことを検出した場合（ステップＳ３１のＹ）、パネル開閉検出部１４からリモコン信号制御部２４へ開状態となったことが通知され（ステップＳ３２）、リモコン受信部１３のリモコン動作が有効に設定される（ステップＳ３５）。
【００２０】
一方で、パネル開閉検出部１４の検出結果が「閉じられた」ことを検出した場合（ステップＳ３１のＮ）、更に外部機器検出部２０とＯＤＤ検出部２１とが、スピーカ出力部１６と外部モニタ出力部１７の動作状況およびディスクドライブへのディスクメディアの挿入状況を検出し、ＣＰＵ２２に検出結果を送信する。そして、外部機器への出力がなく、さらにディスクメディアのがドライブに挿入されていない場合（ステップＳ３４のＹ）、映像コンテンツや音声コンテンツの再生動作が実行中でないと推定されることから、リモコン制御部２４に対し、これらの動作状況を通知して（ステップＳ３５のＹ）、リモコン受信部１３のリモコン動作を無効化させる（ステップＳ３６）。
【００２１】
そして、ステップＳ３４にて外部機器への出力があるか、またはディスクメディアのがドライブに挿入されている場合には（ステップＳ３４のＮ）、映像コンテンツや音声コンテンツの再生動作が実行中であると推定されることから、リモコン受信部１３に対してリモコン動作を有効に維持するよう設定する。
【００２２】
以上説明したように本実施形態によれば、ノートパソコンが閉じた状態であればリモコン操作を自動で無効化することによって、例えばリモコン誤操作によって閉じた状態のノートパソコンの電源がONになってしまうといった状況が発生しなくなる。また、外部出力機器等が接続されていることを自動検出することによって、ノートパソコンが閉じた状態であってもリモコン操作を可能とすることができるものである。
【図面の簡単な説明】
【００２３】
【図１】本発明の一実施形態を示すノートパソコンの概念図である。
【図２】同実施形態におけるノートパソコンのシステム構成図である。
【図３】同実施形態におけるノートパソコンの動作説明をするためのフローチャートである。
【符号の説明】
【００２４】
１０…ノートパソコン、１１…表示パネル、１２…リモコン、１３…リモコン受信部、１４…開閉検出部、１５…ＯＤＤ、１６…スピーカ出力部、１７…外部モニタ出力部、１８…外部スピーカ、１９…外部モニタ、２０…外部機器検出部、２１…ＯＤＤ検出部、２２…ＣＰＵ、２３…メモリ、２４…リモコン信号制御部、２５…システムバス。
【図１】
2008071190.tif 000003
【図２】
2008071190.tif 000004
【図３】
2008071190.tif 000005